(57)【要約】【課題】防水仕様ではないリモコンの設置に適したトイレ用設備を提案する。【解決手段】本発明のトイレ用設備は、キャビネット１と、キャビネット１に設けられる手洗い器２と、キャビネット１に設けられる便器操作用のリモコン３と、手洗い器２とリモコン３との間に位置する水避け用の庇４と、を備える。【選択図】図１
2015104626.tif 000002
【特許請求の範囲】
【請求項１】
キャビネットと、
前記キャビネットに設けられる手洗い器と、
前記キャビネットに設けられる便器操作用のリモコンと、
前記手洗い器と前記リモコンとの間に位置する水避け用の庇と、
を備えることを特徴とするトイレ用設備。
【請求項２】
前記リモコンは、上方に向けて便器操作用の信号を送信する発光部を有し、
前記庇は、前記発光部の上方に位置し、光透過性を有することを特徴とする請求項１に記載のトイレ用設備。
【請求項３】
偏光部材を更に備え、
前記リモコンは、上方に向けて便器操作用の信号を送信する発光部を有し、
前記偏光部材は、前記発光部の上方に位置し、前記信号を前記庇を避けるように偏光させることを特徴とする請求項１に記載のトイレ用設備。
【請求項４】
前記庇は、偏光部材を兼ねるものであり、
前記リモコンは、上方に向けて便器操作用の信号を送信する発光部を有し、
前記庇は、前記発光部の上方に位置し、前記信号を前記キャビネットを避けるように偏光させることを特徴とする請求項１に記載のトイレ用設備。
【請求項５】
反射部材を更に備え、
前記リモコンは、上方に向けて便器操作用の信号を送信する発光部を有し、
前記反射部材は、前記発光部の上方に位置し、前記信号を前記庇を避けるように偏光させることを特徴とする請求項１に記載のトイレ用設備。
【請求項６】
前記キャビネットに取り付けられるベース部材を更に備え、
前記リモコンを前記ベース部材を介して前記キャビネットに取り付けることで、上方に送信される前記信号が前記キャビネットを避けるようにしたことを特徴とする請求項２〜５のいずれか一項に記載のトイレ用設備。
【請求項７】
前記庇は、前記リモコンに取り付けられることを特徴とする請求項１〜６のいずれか一項に記載のトイレ用設備。
【発明の詳細な説明】
【技術分野】
【０００１】
本発明は、トイレ用設備に関し、具体的には、キャビネットと手洗い器と便器操作用のリモコンを備えたトイレ用設備に関する。
【背景技術】
【０００２】
従来から、特許文献１等によって、手洗いボウルを設けた棚板の下方に、便器を操作するためのリモコンを取り付けたトイレ用設備が提案されている。
【０００３】
特許文献１のトイレ用設備では、棚板は、天板とその前縁に設けられた幕板とを有し、リモコンは、この幕板に設けられた開口に操作面が露出するように取り付けられている。
【先行技術文献】
【特許文献】
【０００４】
【特許文献１】特許第４２５１２２４号公報
【発明の概要】
【発明が解決しようとする課題】
【０００５】
特許文献１のトイレ用設備では、手洗いボウルの下方にリモコンを露出させて配置しているため、飛散した水によって不具合が生じないようにするために、リモコンは防水仕様の専用のものを用いなければならなかった。
【０００６】
そこで、本発明は、防水仕様ではないリモコンの設置に適したトイレ用設備を提案することを課題とする。
【課題を解決するための手段】
【０００７】
上記課題を解決するために本発明のトイレ用設備は、キャビネットと、前記キャビネットに設けられる手洗い器と、前記キャビネットに設けられる便器操作用のリモコンと、前記手洗い器と前記リモコンとの間に位置する水避け用の庇と、を備えることを特徴とする。
【０００８】
また、前記リモコンは、上方に向けて便器操作用の信号を送信する発光部を有し、前記庇は、前記発光部の上方に位置し、光透過性を有することが好ましい。
【０００９】
あるいは、偏光部材を更に備え、前記リモコンは、上方に向けて便器操作用の信号を送信する発光部を有し、前記偏光部材は、前記発光部の上方に位置し、前記信号を前記庇を避けるように偏光させることが好ましい。
【００１０】
あるいは、前記庇は、偏光部材を兼ねるものであり、前記リモコンは、上方に向けて便器操作用の信号を送信する発光部を有し、前記庇は、前記発光部の上方に位置し、前記信号を前記キャビネットを避けるように偏光させることが好ましい。
【００１１】
あるいは、反射部材を更に備え、前記リモコンは、上方に向けて便器操作用の信号を送信する発光部を有し、前記反射部材は、前記発光部の上方に位置し、前記信号を前記庇を避けるように偏光させることが好ましい。
【００１２】
また、前記キャビネットに取り付けられるベース部材を更に備え、前記リモコンを前記ベース部材を介して前記キャビネットに取り付けることで、上方に送信される前記信号が前記キャビネットを避けるようにしたことが好ましい。
【００１３】
また、前記庇は、前記リモコンに取り付けられることが好ましい。
【発明の効果】
【００１４】
本発明のトイレ用設備は、キャビネットに設けた手洗い器とリモコンとの間に水避け用の庇を備えることで、手洗い器付近から飛散した水等がリモコンにかかることを抑制できる。これにより、本発明のトイレ用設備は、防水仕様ではないリモコンの設置に適したトイレ用設備となっている。
【図面の簡単な説明】
【００１５】
【図１】本発明の第一実施形態のトイレ用設備を示し、（ａ）は全体斜視図であり、（ｂ）は要部を示すＡ−Ａ´線における側断面図である。
【図２】本発明の第二実施形態のトイレ用設備の要部を示す側断面図である。
【図３】本発明の第三実施形態のトイレ用設備の要部を示す側断面図である。
【図４】本発明の第四実施形態のトイレ用設備の要部を示す側断面図である。
【図５】本発明の第五実施形態のトイレ用設備を示し、（ａ）は要部を示す側断面図であり、（ｂ）はリモコンと庇を示す組み立て前の状態の斜視図である。
【発明を実施するための形態】
【００１６】
以下、本発明の実施形態について添付図面に基づいて説明する。
【００１７】
図１（ａ）及び図１（ｂ）には、本発明の第一実施形態のトイレ用設備が示されている。本実施形態のトイレ用設備は、トイレルームの壁に沿わせてトイレルーム内に配置される。トイレ設備は、キャビネット１と、手洗い器２と、便器操作用のリモコン３と、庇４とを備える。以下では、トイレルームの壁に対してトイレ用設備が位置する側を前方とし、その反対側を後方とし、この前後方向に対して直交する水平方向を左右方向として、各構成について説明する。
【００１８】
キャビネット１は、天板１０、前面板１１、側板１２、背面板１３、及び底板１４を有する。天板１０は、左右方向を長手方向とし、前後方向を短手方向とし、上下方向を厚み方向とする矩形板状である。キャビネット１は、天板１０と左右一対の側板１２と背面板１３と底板１４で囲んで形成される収納部１５を複数（本実施形態では３つ）有する。天板１０と側板１２と背面板１３と底板１４は、前方に向けて開口する箱状に組み立てられている。複数の収納部１５は、左右方向に並んで配置されている。各収納部１５はそれぞれ前面開口部が前面板１１によって開閉される。本実施形態では、左右両端に位置する前面板１１は、右端部または左端部を軸として回転するように設けられる。そして、中央の前面板１１は、前後方向にスライド自在に設けられる。
【００１９】
各前面板１１は、各収納部１５を閉じた状態で、その前面が、天板１０の前端面よりも若干後方に位置するように設けられている。そして、中央の前面板１１の前面には、リモコン３が取り付けられている。本実施形態では、リモコン３は、少なくとも前端が、天板１０の前端よりも前側に位置する。
【００２０】
リモコン３は、左右方向を長手方向とし、上下方向を短手方向とし、前後方向を厚み方向とする矩形箱状である。リモコン３は、トイレルームに設置された便器（図示せず）の各機能を操作することができる。例えば、リモコン３は、便器の便蓋や便座を電動により開閉したり、便器のボウル内への水の供給及び排水を操作したり、使用者の局部を洗浄する温水洗浄装置の駆動及び停止を操作したり、使用者の局部を乾燥させる乾燥装置の駆動及び停止を操作することができる。なお、リモコン３は、トイレルーム内を照らす照明機器や、音楽や効果音などを発生する音響機器や、トイレルーム内を温める空調機器等を操作するために用いることも可能である。
【００２１】
リモコン３は、便器の各機能を操作するための信号を上方に向けて赤外線信号光で送信する発光部３０と、便器の各機能を操作するための操作ボタン３１と、操作ボタン３１による操作指示内容や時間等を表示させる液晶表示部３２と、を有する。発光部３０は、リモコン３の上端部に内蔵される。発光部３０は、リモコン３の上端部の外殻の一部を構成する透光部（図示せず）を介して上方に向けて赤外線信号光を発光する。発光部３０は、リモコン３の上端部に左右方向に亘って設けられてもよいし、左右方向の一部に設けられてもよい。リモコン３から上方に向けて送信された赤外線信号光は、トイレルームの天井や壁に反射して、便器が有する受光部に到達する。
【００２２】
庇４は、本実施形態では、天板１０の前端部の下面に、ねじ等の固定具や接着剤を用いて取り付けられる。なお、庇４は、前面板１１の前面に、ねじ等の固定具や接着剤を用いて取り付けてもよい。また、庇４は、リモコン３の上端部に、ねじ等の固定具や接着剤を用いて取り付けてもよい。庇４は、リモコン３を前後方向に亘って及び左右方向に亘って上方から覆うように設けられる。庇４は、前端位置がリモコン３よりも前方に位置し、左右端位置がリモコン３の左右端よりも側方に位置する。
【００２３】
本実施形態では、庇４は、光透過性であり、例えば透明樹脂製である。庇４は、リモコン３の発光部３０から送信された赤外線信号光を透過させることができる。
【００２４】
手洗い器２は、手洗いボウル２０と、この手洗いボウル２０に一体に設けられた水栓２１とを有する。手洗いボウル２０は、天板１０上に載置される。手洗いボウル２０の底部の排水孔は、その下方の収納部１５内に設けたトラップ部（図示せず）に接続され、このトラップ部を介して下水管に接続される。手洗い器２は、更に、人感センサ（図示せず）を有し、この人感センサによって水栓２１の下方に配置された使用者の手を検出したときに、水栓２１から洗浄水を吐出する。なお、手洗い器２は、操作レバーを操作することで、手動で水栓２１から洗浄水が吐出されるものであってもよい。
【００２５】
以上説明した本実施形態のトイレ用設備では、使用者が手洗い器２を使用する際に飛散した水等を庇４で受けて、リモコン３が濡れることを抑制できる。これにより、本実施形態のトイレ用設備では、リモコン３として、防水仕様の専用のものを使用しなくても、市販されている防水仕様でないものも利用可能である。
【００２６】
また、本実施形態のトイレ用設備では、リモコン３の上方に配置される庇４を、光透過性としているため、リモコン３の発光部３０から上方に向けて送信された赤外線信号光が庇４によって遮られて便器の受光部に到達しにくくなることを抑制できる。なお、図１（ｂ）では、リモコン３の発光部３０から上方に向けて送信されて庇４を通過した赤外線信号光の一部は、天板１０の前端部によって遮られるが、大部分は天板１０の前端部を避けて上方へと送ることができる。なお、発光部３０からの発光方向が前方にずれるように発光部３０をリモコン３に設けることで、赤外線信号光の全部が天板１０の前端部によって遮られないようにしてもよい。
【００２７】
続いて、図２に示す本発明の第二実施形態のトイレ用設備について説明する。第一実施形態のトイレ用設備と同じ構成については図中に同じ符号を入れて詳しい説明を省略する。
【００２８】
本実施形態のトイレ用設備は、偏光部材５を更に備える。偏光部材５は、リモコン３の発光部３０の上方に位置し、発光部３０からの赤外線信号光を、庇４を避けるように庇４よりも前側に偏光させる。
【００２９】
本実施形態では、偏光部材５は、リモコン３の上端部を前後方向の全長に亘って覆い、且つ左右方向の全長に亘って覆うカバー体である。偏光部材５は、リモコン３の上端部に着脱自在に取り付けられる。
【００３０】
偏光部材５は、前側ほど下方に位置するように傾斜した偏光板５０と、偏光板５０の前端から下方に向けて突出した前係止板５１と、偏光板５０の後端から下方に向けて突出した後係止板５２とを備える。偏光板５０、前係止板５１、及び後係止板５２は、光透過性を有する。偏光板５０は偏光機能を更に有する。なお、前係止板５１と後係止板５２は、偏光機能を更に有するものであってもよいし、光透過性を有さないものであってもよい。
【００３１】
偏光部材５は、前係止板５１と後係止板５２とでリモコン３の上端部を前後方向から挟み込むことで、リモコン３の上端部に取り付けられる。このとき、偏光部材５は、偏光板５０がリモコン３の上面から所定距離離れるようにリモコン３の上端部に取り付けられる。ここで、偏光部材５の取付位置は、便器の受光部で受光されやすいように、上下に調整可能である。
【００３２】
なお、上述した実施形態では、偏光部材５を、リモコン３の上端部に取り付け可能なものとして説明したが、偏光部材５は前面板１１に取り付けられるものであってもよい。
【００３３】
また、図２には、庇４を天板１０の前端部の下面に取り付けた例を示しているが、庇４はリモコン３の上端部に取り付けてもよい。この場合、リモコン３の上端部には偏光部材５と庇４とが取り付けられ、庇４は、偏光部材５の上方に距離をおいて配置される。
【００３４】
以上説明した本実施形態のトイレ用設備においても、使用者が手洗い器２を使用する際に飛散した水等を庇４で受けて、リモコン３が濡れることを抑制できる。また、本実施形態のトイレ用設備では、飛散した水等を偏光部材５で受けることもでき、これによりリモコン３が濡れることを更に抑制できる。これにより、本実施形態のトイレ用設備では、リモコン３として、防水仕様の専用のものを使用しなくても、市販されている防水仕様でないものも利用可能である。
【００３５】
また、本実施形態のトイレ用設備では、リモコン３の発光部３０から送信された赤外線信号光を偏光部材５によって、庇４を避けるように庇４よりも前側に偏光させている。これにより、本実施形態のトイレ用設備では、庇４を設けることによって、リモコン３の発光部３０から送信された赤外線信号光が庇４によって遮られて便器の受光部に到達しにくくなることを抑制できる。また、庇４として、光透過性を有さないまたは光透過性の低いものを使用することができる。なお、庇４として、光透過性を有するものを使用してもよい。その場合、偏光部材５による赤外線信号光の照射方向の調整の精度を低くすることができる。
【００３６】
なお、本実施形態のトイレ用設備では、リモコン３の発光部３０から送信された赤外線信号光を偏光部材５によって、庇４よりも前側に偏光させて、赤外線信号光の全てが庇４を避けるようにすることが好ましいが、一部庇４にかかってもよい。
【００３７】
続いて、図３に示す本発明の第三実施形態のトイレ用設備について説明する。第一実施形態のトイレ用設備と同じ構成については図中に同じ符号を入れて詳しい説明を省略する。
【００３８】
本実施形態のトイレ用設備は、反射部材６を更に備える。反射部材６は、リモコン３の発光部３０の上方に位置し、発光部３０からの赤外線信号光を、庇４を避けるように庇４よりも前側に反射させる。
【００３９】
本実施形態では、反射部材６は、リモコン３の発光部３０の左右方向の全長に亘って対向するように、前面板１１に取り付けられる。反射部材６は、板状であり、便器の受光部で受光されやすいように、発光部３０に対する傾きが調整される。反射部材６は、発光部３０に対する傾きを変えることで、反射部材６に反射した赤外線信号光の照射向きを変えることができる。なお、反射部材６は、リモコン３の上端部に取り付けられてもよいし、庇４の下面に取り付けられてもよい。
【００４０】
また、図３には、庇４を天板１０の前端部の下面に取り付けた例を示しているが、庇４はリモコン３の上端部に取り付けてもよい。この場合、庇４は、反射部材６の上方に距離をおいて配置される。
【００４１】
以上説明した本実施形態のトイレ用設備においても、使用者が手洗い器２を使用する際に飛散した水等を庇４で受けて、リモコン３が濡れることを抑制できる。これにより、本実施形態のトイレ用設備では、リモコン３として、防水仕様の専用のものを使用しなくても、市販されている防水仕様でないものも利用可能である。
【００４２】
また、本実施形態のトイレ用設備では、リモコン３の発光部３０から送信された赤外線信号光を反射部材６によって、庇４を避けるように庇４よりも前側に偏光させている。これにより、本実施形態のトイレ用設備では、庇４を設けることによって、リモコン３の発光部３０から送信された赤外線信号光が庇４によって遮られて便器の受光部に到達しにくくなることを抑制できる。これにより、庇４として、光透過性を有さないまたは光透過性の低いものを使用することができる。なお、庇４として、光透過性を有するものを使用してもよい。その場合、反射部材６による赤外線信号光の反射方向の調整精度を低くすることができる。
【００４３】
なお、本実施形態のトイレ用設備では、リモコン３の発光部３０から送信された赤外線信号光を反射部材６によって庇４よりも前側に偏光させて、赤外線信号光の全てが庇４を避けるようにすることが好ましいが、一部庇４にかかってもよい。
【００４４】
以上説明した第一乃至第三実施形態のトイレ用設備では、キャビネット１とは別部材の庇４をキャビネット１に取り付けた例について説明したが、庇４は、キャビネット１の天板１０の前端部で構成してもよい。その場合、天板１０は、前端位置がリモコン３よりも前方に位置するように設けられる。天板１０は、第一実施形態のように、赤外線信号光を通過させる場合、少なくとも前端部が、光透過性を有するように形成される。なお、天板１０は、全体が光透過性を有するように形成されてもよい。また、天板１０は、第二及び第三実施形態のように、赤外線信号光を通過させない場合には、光透過性を有さないように形成してもよい。もちろん、この場合にも、天板１０は、前端部のみまたは全体が光透過性を有するように形成してもよい。
【００４５】
続いて、図４に示す本発明の第四実施形態のトイレ用設備について説明する。第二実施形態のトイレ用設備と同じ構成については図中に同じ符号を入れて詳しい説明を省略する。
【００４６】
本実施形態のトイレ用設備は、第二実施形態のトイレ用設備における偏光部材５が庇４を兼ねる。つまり、第二実施形態のトイレ用設備から、庇４を除いた構成である。本実施形態のトイレ用設備では、偏光部材５は、リモコン３の発光部３０の上方に位置し、発光部３０からの赤外線信号光を、キャビネット１の天板１０の前端部を避けるように、天板１０の前端部よりも前側に偏光させる。庇４を兼ねる偏光部材５は、リモコン３の上端部に取り付けられる。
【００４７】
本実施形態のトイレ用設備では、使用者が手洗い器２を使用する際に飛散した水等を偏光部材５で受けて、リモコン３が濡れることを抑制できる。これにより、本実施形態のトイレ用設備では、リモコン３として、防水仕様の専用のものを使用しなくても、市販されている防水仕様でないものも利用可能である。
【００４８】
また、本実施形態のトイレ用設備では、リモコン３の発光部３０から送信された赤外線信号光を偏光部材５によって、天板１０の前端部を避けるように天板１０の前端部よりも前側に偏光させている。これにより、本実施形態のトイレ用設備では、リモコン３の発光部３０から送信された赤外線信号光が天板１０の前端部によって遮られて便器の受光部に到達しにくくなることを抑制できる。
【００４９】
なお、本実施形態のトイレ用設備では、リモコン３の発光部３０から送信された赤外線信号光を偏光部材５によって天板１０の前端部よりも前側に偏光させて、赤外線信号光の全てが天板１０の前端部を避けるようにすることが好ましいが、一部庇４にかかってもよい。
【００５０】
続いて、図５（ａ）及び図５（ｂ）に示す本発明の第五実施形態のトイレ用設備について説明する。第一実施形態のトイレ用設備と同じ構成については図中に同じ符号を入れて詳しい説明を省略する。
【００５１】
本実施形態のトイレ用設備は、キャビネット１の前面板１１の前面に取り付けられるベース部材７を更に備える。本実施形態のトイレ用設備では、リモコン３をベース部材７を介してキャビネット１の前面板１１の前面に取り付けることで、発光部３０から上方に向けて送信される赤外線信号光がキャビネット１の天板１０の前端部を避けるようにしている。
【００５２】
ベース部材７は、キャビネット１を前方から視たときに、リモコン３の後方に隠れて露出しない位置に配置される。ベース部材７は、例えば、板状である。ベース部材７の前後厚みは、発光部３０から上方に向けて送信される赤外線信号光がキャビネット１の天板１０の前端部に当たらないように設定される。
【００５３】
ベース部材７はねじ等の固定具や接着剤等によって前面板１１に固定される。また、リモコン３はねじ等の固定具や接着剤等によってベース部材７に固定される。
【００５４】
本実施形態のトイレ用設備では、リモコン３の上端部に、庇４が取り付けられる。庇４は、下方に向けて開口する箱状であり、上カバー部４０、前カバー部４１、後カバー部４２、左右一対の側カバー部４３、４４、及び水返し片４５を有する。庇４は、光透過性であり、例えば射出成形により製造される。
【００５５】
上カバー部４０は、前側ほど下方に位置するように傾斜している。前カバー部４１は、上カバー部４０の前端から下方に垂下している。右側の側カバー部４３は、上カバー部４０の右端から下方に垂下し、左側の側カバー部４４は、上カバー部４０の左端から下方に垂下している。後カバー部４２は、上カバー部４０の後端から下方に垂下している。後カバー部４２の下端は、前カバー部４１の下端よりも下方に位置している。水返し片４５は、上カバー部４０の後端から上方に突出している。前カバー部４１の左右端と左右一対の側カバー部４３、４４の前端が連続しており、後カバー部４２の左右端と左右一対の側カバー部４３、４４の後端が連続している。左右一対の側カバー部４３、４４は、後側ほど上下長さが長い側面視略台形状である。庇４は、上カバー部４０で受けた水が後カバー部４２側へ流れることを水返し片４５によって抑制することができる。
【００５６】
後カバー部４２は、下部の前面に、嵌め込み部４２０と突条部４２１を有する。本実施形態では、後カバー部４２は、嵌め込み部４２０を２つ有する。２つの嵌め込み部４２０は、左右方向に距離を置いて配置されている。また、後カバー部４２は、突条部４２１を２つ有する。２つの突条部４２１は、左右方向に距離を置いて平行に配置されている。突条部４２１は、上下方向を長手方向とするリブであり、後カバー部４２をリモコン３の後面から離れた位置に配置させるスペーサーとして機能する。
【００５７】
庇４は、リモコン３の後面に形成された嵌め込み凹部３３に嵌め込み部４２０を嵌め込み、突条部４２１の先端をリモコン３の後面に当てることで、リモコン３の上端部に取り付けられる。なお、庇４のリモコン３の上端部への取り付けは、ねじ等の固定具や接着剤等によって行ってもよい。
【００５８】
庇４は、リモコン３の上端部に取り付けられた状態で、上カバー部４０がリモコン３の上方を覆い、前カバー部４１がリモコン３の上端部を前方から覆い、側カバー部４３、４がリモコン３の上端部を左右から覆い、後カバー部４２がリモコン３の上端部を後方から覆う。このとき、前カバー部４１は、リモコン３の前面から前方に離れて配置され、側カバー部４３、４４は、リモコン３の左右の側面から側方に離れて配置され、後カバー部４２は、リモコン３の後面から後方に離れて配置される。これにより、庇４で受けた水は、リモコン３にかかりにくくなっている。
【００５９】
以上説明した本実施形態のトイレ用設備においても、使用者が手洗い器２を使用する際に飛散した水等を庇４で受けて、リモコン３が濡れることを抑制できる。これにより、本実施形態のトイレ用設備では、リモコン３として、防水仕様の専用のものを使用しなくても、市販されている防水仕様でないものも利用可能である。
【００６０】
また、本実施形態のトイレ用設備では、リモコン３をベース部材７を介してキャビネット１の前面板１１の前面に取り付けることで、発光部３０から上方に向けて送信される赤外線信号光がキャビネット１の天板１０を避けるようにしている。これにより、本実施形態のトイレ用設備では、リモコン３の発光部３０から送信された赤外線信号光が天板１０によって遮られて便器の受光部に到達しにくくなることを抑制できる。
【００６１】
また、本実施形態のトイレ用設備では、リモコン３に庇４を取り付けたことで、ベース部材７の前後方向の厚みに対応して庇４の前後方向のサイズや天板１０や前面板１１における配置を変更しなくてよく、庇４の取り付けが簡単に行える。
【００６２】
なお、本実施形態のトイレ用設備では、リモコン３をベース部材７を介してキャビネット１の前面板１１の前面に取り付けて、発光部３０から上方に向けて送信される赤外線信号光の全てがキャビネット１の天板１０を避けるようにすることが好ましい。しかし、発光部３０から上方に向けて送信される赤外線信号光の一部がキャビネット１の天板１０にかかってもよい。
【００６３】
なお、第一乃至第四実施形態のトイレ用設備においても、本実施形態のトイレ用設備のように、リモコン３をベース部材７を介して前面板１１に取り付けてもよい。第四実施形態のトイレ用設備において、リモコン３をベース部材７を介して前面板１１に取り付けた場合、庇４を兼ねる偏光部材５による赤外線信号光の偏光方向の調整精度を低くすることができる。
【００６４】
以上まとめると、本発明の実施形態のトイレ用設備は、第一乃至第五実施形態のように、キャビネット１と、キャビネット１に設けられる手洗い器２及び便器操作用のリモコン３と、手洗い器２とリモコン３との間に位置する水避け用の庇４と、を備える。
【００６５】
このように本発明の実施形態のトイレ用設備は、キャビネット１に設けた手洗い器２とリモコン３との間に水避け用の庇４を備えることで、手洗い器２付近から飛散してきた水等がリモコン３にかかることを抑制できる。これにより、本発明の実施形態のトイレ用設備は、防水仕様ではないリモコン３の設置に適したトイレ用設備となっている。
【００６６】
また、本発明の実施形態のトイレ用設備は、第一乃至第五実施形態のように、リモコン３は、上方に向けて便器操作用の信号（赤外線信号光）を送信する発光部３０を有し、庇４は、発光部３０の上方に位置し、光透過性を有することが好ましい。
【００６７】
このように本発明の実施形態のトイレ用設備は、リモコン３の発光部３０の上方に位置する庇４が光透過性を有することで、発光部３０からの信号が庇４によって遮られて便器の受光部まで信号が到達しにくくなることを抑制することができる。
【００６８】
また、本発明の実施形態のトイレ用設備は、第二実施形態のように、偏光部材５を更に備え、リモコン３は、発光部３０を有し、偏光部材５は、発光部３０の上方に位置し、前記信号を庇４を避けるように偏光させることが好ましい。
【００６９】
このように本発明の実施形態のトイレ用設備は、リモコン３の発光部３０からの信号を偏光部材５によって庇４を避けるように偏光させることで、発光部３０からの信号が庇４によって遮られて便器の受光部まで信号が到達しにくくなることを抑制することができる。
【００７０】
また、本発明の実施形態のトイレ用設備は、第四実施形態のように、庇４は、偏光部材５を兼ねるものであり、リモコン３は、発光部３０を有し、庇４は、発光部３０の上方に位置し、前記信号をキャビネット１を避けるように偏光させることが好ましい。
【００７１】
このように本発明の実施形態のトイレ用設備は、リモコン３の発光部３０からの信号を偏光部材５によってキャビネット１を避けるように偏光させている。これにより、本発明の実施形態のトイレ用設備では、発光部３０からの信号がキャビネット１によって遮られて便器の受光部まで信号が到達しにくくなることを抑制することができる。また、本発明の実施形態のトイレ用設備は、庇４が偏光部材５を兼ねることで、部品数及び施工工程数を減らすことができ、設置コストを抑えることができる。
【００７２】
また、本発明の実施形態のトイレ用設備は、第三実施形態のように、反射部材６を更に備え、リモコン３は、発光部３０を有し、反射部材６は、発光部３０の上方に位置し、前記信号を庇４を避けるように偏光させることが好ましい。
【００７３】
このように本発明の実施形態のトイレ用設備は、リモコン３の発光部３０からの信号を反射部材６によって庇４を避けるように反射させることで、発光部３０からの信号が庇４によって遮られて便器の受光部まで信号が到達しにくくなることを抑制することができる。
【００７４】
また、本発明の実施形態のトイレ用設備は、第一乃至第五実施形態のように、キャビネット１に取り付けられるベース部材７を更に備え、リモコン３をベース部材７を介してキャビネット１に取り付けることで、上方に送信される前記信号がキャビネット１を避けるようにすることが好ましい。
【００７５】
このような構成とすることで、本発明の実施形態のトイレ用設備では、発光部３０からの信号がキャビネット１によって遮られて便器の受光部まで信号が到達しにくくなることを簡単な構成で抑制することができる。
【００７６】
また、本発明の実施形態のトイレ用設備は、第一乃至第五実施形態のように、庇４は、リモコン３に取り付けられることが好ましい。
【００７７】
このような構成とすることで、本発明の実施形態のトイレ用設備では、リモコン３の配置に合わせてキャビネット１への庇４の取り付け位置等を変更する必要がなく、リモコン３と手洗い器２との間への庇４の設置を簡単に行うことができる。
【００７８】
以上、本発明を添付図面に示す実施形態に基づいて説明したが、本発明は上記の実施形態に限定されるもので、本発明の意図する範囲内であれば、適宜の設計変更が可能である。
【符号の説明】
【００７９】
１      キャビネット
２      手洗い器
３      リモコン
４      庇
５      偏光部材
６      反射部材
７      ベース部材
３０    発光部
【図１】
2015104626.tif 000003
【図２】
2015104626.tif 000004
【図３】
2015104626.tif 000005
【図４】
2015104626.tif 000006
【図５】
2015104626.tif 000007